(57)【要約】【課題】  入力キーあるいは入力キーに係る文字までも第３者に盗み見された場合であっても、パスワードを察知され難い入力装置を提供する。【解決手段】入力装置は、操作パネル１と表示装置２と入力部３と制御部４とを有する。入力部３は、タッチパネルとされる。入力部３は、複数の入力キー７を備える。入力キー７は、コードに対応した表示部８が形成される。制御部４は、表示装置２の画面部５に入力キー７を表示し、入力キー７内に表示部８を表示する。制御部４は、入力モードに応じて入力キー７の色、形状、模様といった状態を変える。【選択図】図１
2008077159.tif 000002
【特許請求の範囲】
【請求項１】
複数のコードを有する入力キーと、前記複数のコードの中から１つのコードを特定するために前記入力キーの状態を可変する可変手段とを備えたことを特徴とする入力装置。
【請求項２】
可変手段は、入力キーの全体を可変することを特徴とする請求項１に記載の入力装置。
【請求項３】
可変手段は、入力キーの色を可変することを特徴とする請求項２に記載の入力装置。
【請求項４】
可変手段は、入力キーの模様を可変することを特徴とする請求項２に記載の入力装置。
【請求項５】
可変手段は、入力キーの形状を可変することを特徴とする請求項２に記載の入力装置。
【請求項６】
可変手段は、入力キーの一部を可変することを特徴とする請求項１に記載の入力装置。
【請求項７】
入力キーには、各コードに対応する表示部が形成され、
可変手段は、前記コードの表示部の色を可変することを特徴とする請求項６に記載の入力装置。
【請求項８】
入力キーには、各コードに対応する表示部が形成され、
可変手段は、前記コードの表示部の形状を可変することを特徴とする請求項６に記載の入力装置。
【請求項９】
可変手段は、複数の入力キーに対して、入力キー毎に異なる状態に可変することを特徴とする請求項１に記載の入力装置。
【請求項１０】
可変手段は、所定のタイミングで前記入力キーの状態を可変することを特徴とする請求項１〜９のいずれかに記載の入力装置。
【請求項１１】
入力キーの状態を切り替える切替キーを備え、
可変手段は、前記切替キーからの入力に基づいて、前記入力キーの状態を可変することを特徴とする請求項１０に記載の入力装置。
【請求項１２】
可変手段は、入力キーからの入力に応じて、前記入力キーの状態を可変することを特徴とする請求項１０に記載の入力装置。
【請求項１３】
入力キーの状態に基づいて、入力されるコードを報知する報知手段を備えたことを特徴とする請求項１〜９のいずれかに記載の入力装置。
【請求項１４】
請求項１〜１３のいずれかに記載の入力装置を備えたことを特徴とする電子機器。
【請求項１５】
電子機器が、コピー機、プリンタ、ファクシミリ、スキャナ、もしくは、これら２つ以上を組み合わせた複合機器であることを特徴とする請求項１４に記載の電子機器。
【発明の詳細な説明】
【技術分野】
【０００１】
本発明は、暗証番号等を入力する入力装置およびそれを備えた電子機器に関する。
【背景技術】
【０００２】
最近、情報の漏洩や不正使用等を防止するためにセキュリティ機能を備えた電子機器が種々開発されている。代表的なセキュリティ機能としては、半角英数字や記号を織り交ぜた複雑な文字列であるパスワードを入力することによって使用者を特定し、使用の認証をするパスワード認証がある。このパスワード認証に係るパスワードは、機械式またはタッチパネル式の入力装置から入力される。
【０００３】
ところで、従来の入力装置は、パスワードを入力するときの指の動きを観察されると、何を押したかを容易に推測される危険性がある。例えば、レジや屋外の券売機等では、後ろから覗かれたり、隠しＣＣＤカメラに盗撮されたりする可能性が高い。そのため、従来の入力装置は、第３者から入力装置の入力キーが見えなくても、パスワードを容易に推測することができるという問題がある。
【０００４】
特許文献１〜３では、入力キーの配置または入力キーに係る文字の配置を利用の度あるいは利用者毎に変更させることで、第３者にパスワードを察知され難くした入力装置およびその方法が開示されている。
【特許文献１】特開２００２−０３２１７６公報
【特許文献２】特開２００２−０７４５０８公報
【特許文献３】特開２００４−１０２４６０公報
【発明の開示】
【発明が解決しようとする課題】
【０００５】
しかしながら、特許文献１〜３のいずれにおいても、入力キーから入力される文字は、１つの入力キーに対して１つの文字である。そのため、入力キーに係る文字までも第３者に盗み見された場合は、例え入力キーの配置または入力キーに係る文字の配置を変更したとしても、第３者にパスワードを察知されてしまう問題がある。
【０００６】
そこで、本発明は、上記問題を鑑み、入力キーあるいは入力キーに係る文字までも第３者に盗み見された場合であっても、パスワードを察知され難い入力装置およびそれを備えた電子機器の提供を目的とする。
【課題を解決するための手段】
【０００７】
上記目的を達成するために、本発明では、複数のコードを有する入力キーと、前記複数のコードの中から１つのコードを特定するために前記入力キーの状態を可変する可変手段とを備えたことを特徴とする。
【０００８】
コードとは、入力キーから入力される英字、ひらがな、カタカナ、数字、絵、記号といった入力値である。１つの入力キーで複数の異なるコードを入力することができる。入力するコードに応じて、入力キーの状態が変わる。すなわち、入力キーは、複数の状態に変化する。ユーザは、入力キーから入力できるコードを視覚的に判断することができる。
【０００９】
可変手段は、入力キーの全体を可変する。具体的には、可変手段は、入力キーの色、模様、形状を可変する。
【００１０】
可変手段は、入力キーの一部を可変する。入力キーの一部としては、入力キーに形成された各コードに対応する表示部がある。可変手段は、表示部の色、形状を可変する。
【００１１】
可変手段は、複数の入力キーに対して、入力キー毎に異なる状態に可変する。各入力キーは、入力できるコードに応じてそれぞれ異なる状態となる。ユーザは、入力したいコードの入力キーを容易に見分けることができ、間違いなく英字や数字等が混在したコードを入力できる。
【００１２】
可変手段は、所定のタイミングで前記入力キーの状態を可変する。すなわち、自動的に入力キーの状態が変わる。任意のタイミングで変える場合は、入力キーの状態を切り替える切替キーを設ける。可変手段は、前記切替キーからの入力に基づいて、前記入力キーの状態を可変する。この場合は、ユーザの意思によって入力キーの状態を可変できる。
【００１３】
可変手段は、入力キーからの入力に応じて、前記入力キーの状態を可変する。すなわち、可変手段は、先の入力に応じて、次に入力されるコードを予測し、予測したコードに対応した入力キーの状態に可変する。
【００１４】
入力キーの状態に基づいて、入力されるコードを報知する報知手段を備える。報知手段により、ユーザは、現在の入力キーから入力できるコードを識別することができ、入力を間違えない。
【００１５】
上記記載の入力装置を電子機器に備えることができる。電子機器としては、コピー機、プリンタ、ファクシミリ、スキャナ、もしくは、これら２つ以上を組み合わせた複合機器等種々考えることができる。
【発明の効果】
【００１６】
以上のとおり、本発明は、入力キーの状態に基づいて１つの入力キーから異なるコードを入力することができる。そのため、入力キーあるいは入力キーに係る表示部が第３者に盗み見された場合であっても、どのコードを入力しているのかが分からないため、第３者にパスワードを察知され難い。したがって、セキュリティ性の高い入力装置を実現できる。
【００１７】
入力キーの状態を変えることにより、どのコードを入力すればよいのかユーザに教示できる。したがって、ユーザフレンドリな入力装置を実現できる。
【発明を実施するための最良の形態】
【００１８】
以下、本発明の実施形態に係る、入力装置を図面に基づいて説明する。本実施形態における入力装置は、ユーザが操作入力を行なう電子機器に搭載される。入力装置は、図１に示すように、操作パネル１と、操作画面を表示する表示装置２と、入力操作用の入力部３と、入力された操作情報や認証情報の処理を行なう制御部４とを有する。
【００１９】
表示装置２は、入力のガイドとなるキーやマーク等を表示する画面部５と、画面部５を駆動制御する駆動部６とを有する。画面部５は、操作パネル１に形成される。駆動部６は、制御部４からの指示に基づいて、画面部５にキーやマーク等を表示させるよう駆動制御する。
【００２０】
入力部３は、画面部５に表示したキーやマーク等を指先で触れてコードを入力する周知のタッチパネルである。入力部３を構成する複数の入力キー７が画面部５に形成される。
【００２１】
制御部４は、入力装置の動作全般を制御するＣＰＵとされる。制御部４は、電子機器の動作状況に応じて画面部５に入力キー７を表示させるよう駆動部６を制御する。駆動部６は、画面部５に複数の入力キー７をマトリックス状に表示する。
【００２２】
入力キー７は、複数のコードを有する。すなわち、入力キー１は、１つのキーで異なるコードを入力することができる。なお、コードとは、英字、ひらがな、カタカナ、数字、絵、記号といった文字情報である。入力キー７内に、各コードに対応した表示部８が形成される。表示部８は、コードに応じて複数とされる。
【００２３】
入力装置は、各コードを入力するために、複数の入力モードを有する。制御部４は、動作状況に応じて入力モードを切り替える。入力キー７が操作されると、入力部３はコード信号を制御部４に出力する。制御部４は、入力モードに応じてコード信号からコードを判断する。
【００２４】
具体的には、図２に示すように、１つの入力キー７が数字と英字の２つのコードを有する場合、入力キー７には、数字を描いた第１表示部８ａと、英字を描いた第２表示部８ｂとが形成される。制御部４は、入力されたコードを数字に特定する数字入力モードと、英字に特定するアルファベット入力モードとを切り替える。数字入力モードのとき、制御部４は、入力キー７からの入力を数字として判断する。アルファベット入力モードのとき、制御部４は、入力キー７からの入力を英字として判断する。
【００２５】
制御部４は、各入力モードに応じて入力キー７の状態を可変する可変手段を備える。可変手段は、入力キー７全体の状態を可変するように表示装置２を駆動制御する。具体的には、図３および図４に示すように、入力モードに応じて各入力キー７の色を可変する。例えば、数字入力モードの場合は、入力キー７の色を青色にする。アルファベット入力モードの場合は、入力キー７の色を黄色にする。これにより、ユーザに対してどの入力モードかを容易に認識させることができる。
【００２６】
ユーザが数字を入力したい場合、図３に示すように、入力キーが青色のとき、ユーザは、所望の入力キー７を操作する。制御部４は、数字入力モードであることを認識して、数字のコードと判断する。アルファベットを入力したい場合、図４に示すように、入力キー７が黄色のとき、ユーザは、所望の入力キー７を操作する。制御部４は、アルファベット入力モードであることを認識して、英字のコードと判断する
【００２７】
このように、入力キー７は、入力モードに応じた状態になる。ユーザは、どちらのコードを入力すればよいのか一目で分かる。一方、第３者は、操作された入力キー７を知ることができるが、入力されたコードまでは分からない。したがって、ユーザの操作性を良好にできると共に、セキュリティ性を高めることができる。
【００２８】
他の入力キー７の形態として、可変手段は、入力キー７の一部を可変する。すなわち、入力キー７の一部を構成する表示部８の状態を可変する。例えば、図５および図６に示すように、入力モードに応じて入力キー７の表示部８の色を可変する。詳しくは、数字入力モードの場合は、数字に係る表示部８ａの色を赤色にし、英字に係る表示部８ｂの色を黒色にする。アルファベット入力モードの場合は、英字に係る表示部８ｂの色を赤色にし、数字に係る表示部８ａの色を黒色にする。
【００２９】
制御部４は、ユーザに対してどの入力モードであるかを報知する報知手段を備える。報知手段は、現在の入力モードを表示することにより報知する。報知手段は、画面部５に入力モードを表す報知キー９を表示するように、表示装置２を駆動制御する。この報知キー９によって、ユーザは、現在、どの入力モードであるかを容易に認識することができる。
【００３０】
ここで、報知キー９は、第３者から盗み見されないように表示する必要がある。例えば、報知キー９を第３者に盗み見らされた場合、どの入力モードで入力されているか分かるため、パスワードを察知されることが考えられる。そこで、この報知キー９は、画面部５の左下に入力キー７より小さく表示される。ユーザが自らの手によって報知キー９を覆い隠すことができる。これにより、第３者に入力モードを知られるのを防止することができる。
【００３１】
入力モードの切り替えは、所定のタイミングで行なわれる。制御部４は、タイマで時間を計測し、所定時間経過したときに入力モードを切り替える。そのため、ユーザは、所定時間内に入力を終了する必要がある。しかし、第３者には、現在の入力モードが分かり難くなる。
【００３２】
ユーザの利便性を考えると、ユーザが任意に入力モードを切り替えるのが好ましい。そこで、制御部４は、図９および図１０に示すように、入力キー７の状態を可変する切替キー１０を形成するように表示装置２を駆動制御する。切替キー１０は、現在の入力モードとは異なる入力モードを表すような色、文字とされる。数字入力モードのとき、切替キー１０は、図９に示すように、英字で黄色とされる。アルファベットモードのときは、図１０に示すように、数字で青色とされる。
【００３３】
ユーザが切替キー１０を操作すると、制御部４は、入力モードを切り替える。これと同時に、入力キー７の状態を変える。また、切替キー１０を他の入力モード用に変える。
【００３４】
他の入力キー７の形態として、可変手段は、図１１に示すように、入力キー７毎に異なる状態にする。一部の入力キー７の色を数字入力モードに対応した青色にし、残りの入力キー７の色をアルファベット入力モードに対応した黄色にする。この場合、制御部４は、青色の入力キー７からのコード信号は数字として判断し、黄色の入力キー７からのコード信号は英字として判断する。これにより、制御部４は、切替キー１０によって入力モードを切り替えることなく、２種類のコードを入力可能となる。
【００３５】
この場合、ユーザは、２種類のコードを入力することができる。すなわち、入力モードを切り替えなくても、数字と英字を入力することができる。そのため、パスワードとして英字と数字が混在している場合、入力時間を短縮できる。ユーザは、第３者に盗み見られる時間を与えないように入力キー７を操作できる。
【００３６】
なお、入力キー７の色、あるいは、表示部８の色は、制御部４がランダムに設定する。この場合、制御部４は、報知キー１０を表示するようにする。また、管理者のように権限を有するユーザが色を設定しても良い。
【００３７】
本実施形態における入力装置は、画像処理装置に搭載される。機密文書類等の特定のユーザしかコピーすることができない原稿をコピーする場合、ユーザは、利用認証するためにパスワードを入力する。先ず、制御部４は、ユーザからのパスワード認証開始の操作入力を検出すると、パスワード入力画面を表示させる。このとき、ユーザは、入力するコードに応じて入力モードを選択する。ユーザが数字入力モードを選択した場合、可変手段は、入力キー７を青色に表示する。ユーザがアルファベット入力モードを選択した場合、可変手段は、入力キー７を黄色に表示する。
【００３８】
数字と英字とを混在して入力する場合、ユーザは、入力するコードに応じて切替キー１０を操作する。制御部４は、入力モードを切り替え、入力キー７の状態を変える。
【００３９】
ユーザがパスワードを入力し終えると、制御部４は、入力されたコードに基づいてパスワードを認識する。制御部４は、入力されたパスワードが、予め登録されているパスワードと一致するか判断する。一致すれば特定のユーザと認証し、コピーを許可する。パスワードが一致しない場合は、特定のユーザでないと判断し、その旨を表示装置２により報知した後、コピーを禁止する。
【００４０】
なお、本発明は、上記実施形態に限定されるものではなく、本発明の範囲内で上記実施形態に多くの修正および変更を加え得ることは勿論である。本発明の入力装置は、画像処理装置の操作パネルに用いるだけでなく、例えば、現金支払機、現金自動受け払い機等で使用する入力装置等のパスワードを入力する入力装置を必要とする電子機器全般に使用できる。
【００４１】
本発明では、パスワードを入力する入力装置で説明しているが、特にこれに限られない。例えば、ＦＡＸや電話をかける際に入力する相手先のＦＡＸ番号、電話番号を入力するファクシミリ装置、電話機、携帯電話等の入力装置に用いても良い。これにより、個人情報が第３者に盗み見られることがない。
【００４２】
可変手段による入力キーの可変は、特にこの限りではなく、入力キーからの入力に応じて、入力キーの状態を可変しても良い。すなわち、入力キーの状態が操作されたとき、入力キーの状態が可変される。この場合、制御部は、現在の入力処理の内容を認識しており、次に入力されるコードを予測する。そして、このコードに対応して、入力キーの状態を変えるように制御する。
【００４３】
可変手段は、入力キーの模様、形状を可変させても良い。具体的には、入力キーに模様がついているとき、数字入力モードの場合は、入力キーの模様を網掛模様にする。アルファベット入力モードの場合、入力キーの模様をまだら模様にする。入力キーが画面部に形成されているとき、数字入力モードの場合は、アルファベット入力モードの場合は、入力キーの形状を四角形にする。入力キーの形状を円形にする。
【００４４】
可変手段は、入力モードに応じて入力キーの表示部の形状を可変してもよい。具体的には、数字入力モードの場合は、数字に係る表示部の形状を斜体あるいは太字等にする。アルファベット入力モードの場合は、英字に係る表示部の形状を斜体あるいは太字等にする。
【００４５】
入力キーの一部を可変する形態として、可変手段は、入力キーの一部だけを他の部分と異なる状態にする。例えば、入力キーの一隅だけ色を変える、形状を変える、模様をつけるといったことがあげられる。
【００４６】
入力キーは、タッチパネルのように画面部に形成されたものに限らず、ハードキーであっても良い。この場合、入力キーは照光式とされる。入力キーの表面に形成された文字等の表示部が任意の色に照明される。この照明を変えることにより、入力キーの状態を可変できる。入力キーは、３つ以上のコードを有しても良い。この場合、入力モードも３つ以上となる。
【００４７】
報知キーと切替キーとを一体化して、報知切替キーとしても良い。報知切替キーは、現在の入力モードに応じた状態とされる。ユーザは、この報知切替キーより入力モードを知ることができる。ユーザが報知切替キーを操作すると、入力モードが切り替わり、入力キーの状態が変わる。同時に、報知切替キーも変更後の入力モードに応じた状態に変わる。
【図面の簡単な説明】
【００４８】
【図１】本発明の入力装置のブロック図
【図２】入力キーを示す図
【図３】数字入力モードに対応した色の入力キーを示す図
【図４】アルファベット入力モードに対応した色の入力キーを示す図
【図５】数字入力モードに対応した表示部を有する入力キーを示す図
【図６】アルファベット入力モードに対応した表示部を有する入力キーを示す図
【図７】数字入力モード時の報知キーを有する入力キーを示す図
【図８】アルファベット入力モード時の報知キーを有する入力キーを示す図
【図９】数字入力モード時の切替キーを有する入力キーを示す図
【図１０】アルファベット入力モード時の切替キーを有する入力キーを示す図
【図１１】異なる状態に可変された入力キーを示す図
【符号の説明】
【００４９】
１  操作パネル
２  表示装置
３  入力部
４  制御部
５  画面部
６  駆動部
７  入力キー
８  表示部
９  報知キー
１０  切替キー
【図１】
2008077159.tif 000003
【図２】
2008077159.tif 000004
【図４】
2008077159.tif 000005
【図８】
2008077159.tif 000006
【図３】
2008077159.tif 000007
【図５】
2008077159.tif 000008
【図６】
2008077159.tif 000009
【図７】
2008077159.tif 000010
【図９】
2008077159.tif 000011
【図１０】
2008077159.tif 000012
【図１１】
2008077159.tif 000013